(57)【要約】【課題】シンバルパッドの回転変位を可能にしてアコースティックシンバルの演奏感を得ることができる電子シンバルを提供する。【解決手段】電子シンバル１００は、上方に向かって凸状に湾曲するとともに平面視で円板状の板状体からなるシンバルパッド１０１を備えている。シンバルパッド１０１は、中央部に取付孔１０２ａが形成されるとともに、この取付孔１０２ａの周囲に取付部１０２ｂが形成されている。取付孔１０２ａ内には、スタンド１１０の貫通部１１１が貫通しており、この貫通部１１１に支持スリーブ１１２を介してパッド取付具１０５が２つの押圧具１１５ａ，１１５ｂによって挟まれた状態で設けられている。パッド取付具１０５は、押圧具１１５ａ，１１５ｂによって押圧されることで押圧方向に直交する径方向に弾性変形する保持部１０６および保持部１０６の外周部から張り出して取付部１０２ｂに取り付けられるシンバル連結部１０７を備えている。【選択図】  図２
2018205684.tif 000002
【特許請求の範囲】
【請求項１】
棒状に延びるスタンドの一方端が貫通する取付孔を有して板状に形成されたシンバルパッドと、
前記シンバルパッドの周方向に沿って複数設けられて同シンバルパッドの叩打を検出する叩打センサと、
前記シンバルパッドを前記スタンドに対して回転可能な状態で取り付けるためのパッド取付具とを備え、
前記パッド取付具は、
前記スタンドを摺動可能な状態で把持する保持部と、
前記保持部と一体的に繋がって形成されて前記シンバルパッドに取り付けられまたは押し付けられるシンバル連結部とを備えることを特徴とする電子シンバル。
【請求項２】
請求項１に記載した電子シンバルにおいて、さらに、
前記パッド取付具を前記スタンドの軸線方向から押圧する押圧具を備え、
前記保持部は、
前記取付孔の内周面に対して内側に張り出した状態で前記スタンドの一方端が貫通する環状に形成されるとともに前記押圧具によって押圧されることで内周部が弾性的に張り出すように形成されていることを特徴とする電子シンバル。
【請求項３】
請求項１または請求項２に記載した電子シンバルにおいて、
前記シンバル連結部は、
前記保持部の外側に形成されて前記シンバルパッドに繋がっていることを特徴とする電子シンバル。
【請求項４】
請求項２に記載した電子シンバルにおいて、
前記保持部は、
前記押圧具によって押圧されることで前記内周部とともに外周部も弾性的に張り出す環状に形成されており、
前記シンバル連結部は、
前記保持部における前記外周部であり、
前記取付孔は、
前記シンバル連結部に対向する位置まで延びて形成されていることを特徴とする電子シンバル。
【請求項５】
請求項２または請求項４に記載した電子シンバルにおいて、
前記押圧具は、
フェルトで構成されていることを特徴とする電子シンバル。
【請求項６】
請求項２に記載した電子シンバルにおいて、
前記取付孔は、
前記スタンドの軸線方向における一方の端部側から他方の端部側に向かって内径が大きくなる凹状の円錐面を有しており、
前記保持部は、
前記取付孔における前記凹状の円錐面に密着する凸状の円錐面を有するとともに前記スタンドの周方向の一部に内周部と外周部との間で前記スタンドの軸線方向に貫通する切欠き部を有し、
前記シンバル連結部は、
前記保持部における前記凸状の円錐面であることを特徴とする電子シンバル。
【請求項７】
請求項１ないし請求項６のうちのいずれか１つに記載した電子シンバルにおいて、
前記保持部は、
前記スタンドの外周部に沿って内部が空洞に形成されていることを特徴とする電子シンバル。
【請求項８】
請求項１ないし請求項７のうちのいずれか１つに記載した電子シンバルにおいて、
前記叩打センサは、
前記シンバルパッドの周方向に沿って均等配置されていることを特徴とする電子シンバル。
【発明の詳細な説明】
【技術分野】
【０００１】
本発明は、電子回路を用いてアコースティックのシンバルを電子的に実現した電子シンバルに関する。
【背景技術】
【０００２】
従来から、電子回路を用いてアコースティックのシンバルを電子的に実現した電子シンバルは床面から棒状に延びるスタンドによって所定の高さ位置に支持されている。例えば、下記特許文献１には、スタンドから延びる棒状の回り止め具がシンバルパッドを貫通した状態でシンバルパッドをフェルトワッシャによって挟むことでシンバルパッドをスタンドに取り付ける構造が開示されている。
【先行技術文献】
【特許文献】
【０００３】
【特許文献１】特開平０９−３２５７６７号公報
【０００４】
しかしながら、上記特許文献１に記載されたシンバルパッドの取付構造においては、シンバルパッドが回り止め具によって周方向の回転が不能な状態でスタンドに固定されているため、アコースティックシンバルように叩打時にシンバルが回転せずアコースティックシンバルの演奏感を十分に再現できていないという問題があった。
【０００５】
本発明は上記問題に対処するためなされたもので、その目的は、シンバルパッドの回転変位を可能にしてアコースティックシンバルの演奏感を得ることができる電子シンバルを提供することにある。
【発明の概要】
【０００６】
上記目的を達成するため、本発明の特徴は、棒状に延びるスタンドの一方端が貫通する取付孔を有して板状に形成されたシンバルパッドと、シンバルパッドの周方向に沿って複数設けられて同シンバルパッドの叩打を検出する叩打センサと、シンバルパッドをスタンドに対して回転可能な状態で取り付けるためのパッド取付具とを備え、パッド取付具は、スタンドを摺動可能な状態で把持する保持部と、保持部と一体的に繋がって形成されてシンバルパッドに取り付けられまたは押し付けられるシンバル連結部とを備えることにある。
【０００７】
このように構成した本発明の特徴によれば、電子シンバルは、シンバルパッドにシンバル連結部を介して連結されるパッド取付具がスタンドを摺動可能な状態で把持する保持部を備えているため、シンバルパッドをスタンドに対して回転可能な状態で取り付けることができる。これにより、本発明に係る電子シンバルにおいては、演奏者が演奏時においてシンバルパッドの叩打によってシンバルパッドを回転させることができるため、アコースティックシンバルの演奏感を得ることができる。この場合、保持部がスタンドに対して摺動可能とは、保持部がスタンドに対して摩擦抵抗を生じた状態でスタンドの周方向に変位できることである。
【０００８】
また、本発明の他の特徴は、前記電子シンバルにおいて、さらに、パッド取付具をスタンドの軸線方向から押圧する押圧具を備え、保持部は、取付孔の内周面に対して内側に張り出した状態でスタンドの一方端が貫通する環状に形成されるとともに押圧具によって押圧されることで内周部が弾性的に張り出すように形成されていることにある。
【０００９】
このように構成した本発明の他の特徴によれば、電子シンバルは、パッド取付部における保持部が環状に形成されてスタンドを貫通させるとともにスタンドの軸線方向からの押圧によって内周部分が弾性的に収縮変形するため、この保持部をスタンドの軸線方向に押圧することで弾性変形させた保持部によってシンバルパッドをスタンドに対して回転可能な状態で取り付けることができる。これにより、本発明に係る電子シンバルにおいては、演奏者が演奏時においてシンバルパッドの叩打によってシンバルパッドを回転させることができるため、アコースティックシンバルの演奏感を得ることができる。また、本発明に係る電子シンバルにおいては、保持部を弾性変形させる押圧力を調整することで保持部がスタンドを圧迫する力を加減できるため、シンバルパッドの回転のし易さを調整することができる。
【００１０】
また、本発明の他の特徴は、前記電子シンバルにおいて、シンバル連結部は、保持部の外側に形成されてシンバルパッドに繋がっていることにある。この場合、シンバル連結部は、シンバルパッドに対して接着剤、ネジ、シンバルパッドに対して圧入またはシンバルパットと一体的成形などの手法などの手法を用いて両者を繋ぐことができる。
【００１１】
このように構成した本発明の他の特徴によれば、電子シンバルは、シンバル連結部が保持部の外側に形成されてシンバルパッドに連結または一体成形などによって繋がれるため、シンバルパッドに対して種々の連結位置、連結形態および形成形態を採用し易くなって種々の大きさまたは形状のシンバルパッドに対して適切な位置、形態または強度でパッド取付具を取り付けることができる。
【００１２】
また、本発明の他の特徴は、前記電子シンバルにおいて、保持部は、押圧具によって押圧されることで内周部とともに外周部も弾性的に張り出す環状に形成されており、シンバル連結部は、保持部における外周部であることにあり、取付孔は、シンバル連結部に対向する位置まで延びて形成されていることにある。
【００１３】
このように構成した本発明の他の特徴によれば、電子シンバルは、パッド取付具が押圧具によって押圧されることで内側および外側にそれぞれ張り出すように構成されているため、このパッド取付具を取付孔内に配置して押し付けて変形させることでシンバルパッドをスタンドに弾性的に取り付けることができる。すなわち、本発明に係る電子シンバルによれば、簡単な構成でシンバルパッドをスタンドに弾性的に取り付けることができる。
【００１４】
また、本発明の他の特徴は、前記電子シンバルにおいて、押圧具は、フェルトで構成されていることにある。
【００１５】
このように構成した本発明の他の特徴によれば、電子シンバルは、押圧具がフェルトで構成されているため、保持部を押圧して変形させる際に両者間の摩擦抵抗を低減して保持部を円滑に変形させることができる。
【００１６】
また、本発明の他の特徴は、前記電子シンバルにおいて、取付孔は、スタンドの軸線方向における一方の端部側から他方の端部側に向かって内径が大きくなる凹状の円錐面を有しており、保持部は、取付孔における凹状の円錐面に密着する凸状の円錐面を有するとともにスタンドの周方向の一部に内周部と外周部との間でスタンドの軸線方向に貫通する切欠き部を有し、シンバル連結部は、保持部における凸状の円錐面であることにある。
【００１７】
このように構成した本発明の他の特徴によれば、電子シンバルは、パッド取付具がシンバルパッドの取付孔における凹状の円錐面に対応する凸状の円錐面および保持部の内周部と外周部との間に切欠き部をそれぞれ有した保持部を備えるとともに前記凸状の円錐面がシンバル連結部を構成しているため、このパッド取付具を取付孔に押し付けて変形させることでシンバルパッドとスタンドとを互いに弾性的に連結することができる。すなわち、本発明に係る電子シンバルによれば、簡単な構成でシンバルパッドをスタンドに弾性的に取り付けることができる。
【００１８】
また、本発明の他の特徴は、前記電子シンバルにおいて、保持部は、スタンドの外周部に沿って内部が空洞に形成されていることにある。
【００１９】
このように構成した本発明の他の特徴によれば、電子シンバルは、保持部の内部がスタンドの外周部に沿って空洞に形成されて保持部が変形し易くなるため、押圧具は小さい押圧力でも変形させることができるとともに保持部がスタンドを圧迫する力の微調整が容易となる。
【００２０】
また、本発明の他の特徴は、前記電子シンバルにおいて、叩打センサは、シンバルパッドの周方向に沿って均等配置されていることにある。
【００２１】
このように構成した本発明の他の特徴によれば、電子シンバルは、叩打センサがシンバルパッドの周方向に沿って均等配置されているため、シンバルパッドの回転変位によって演奏者に対する向きが変化した場合であってもシンバルパッドの叩打を精度良く検出することができる。
【図面の簡単な説明】
【００２２】
【図１】本発明の第１実施形態に係る電子シンバルの外観構成の概略をスタンドに取り付けた状態で示す斜視図である。
【図２】図１に示す電子シンバルの内部構成の概略を模式的に示す断面図である。
【図３】図２に示す電子シンバルを構成するシンバルパッドの裏面の構成を叩打センサおよびパッド取付具とともに示す底面図である。
【図４】図２に示すパッド取付具の外観構成の概略を示す斜視図である。
【図５】図２に示す電子シンバルにおいて締付ナットを貫通部に締め付ける前の状態を示す断面図である。
【図６】本発明の第２実施形態に係る電子シンバルの内部構成の概略を模式的に示す断面図である。
【図７】図６に示すパッド取付具の外観構成の概略を示す斜視図である。
【図８】図６に示す電子シンバルにおいて締付ナットを貫通部に締め付ける前の状態を示す断面図である。
【図９】本発明の第３実施形態に係る電子シンバルの内部構成の概略を模式的に示す断面図である。
【図１０】図９に示すパッド取付具の外観構成の概略を示す斜視図である。
【図１１】図９に示す電子シンバルにおいて締付ナットを貫通部に締め付ける前の状態を示す断面図である。
【図１２】本発明の第４実施形態に係る電子シンバルの内部構成の概略を模式的に示す断面図である。
【図１３】図１２に示すパッド取付具の外観構成の概略を示す斜視図である。
【図１４】図１２に示す電子シンバルにおいて締付ナットを貫通部に締め付ける前の状態を示す断面図である。
【図１５】本発明の第５実施形態に係る電子シンバルの内部構成の概略を模式的に示す断面図である。
【図１６】図１５に示すパッド取付具の外観構成の概略を示す斜視図である。
【図１７】図１５に示す電子シンバルにおいて締付ナットを貫通部に締め付ける前の状態を示す断面図である。
【発明を実施するための形態】
【００２３】
（第１実施形態）
以下、本発明に係る電子シンバルの第１実施形態について図面を参照しながら説明する。図１は、本発明に係る電子シンバル１００の外観構成の概略を模式的に示した斜視図である。また、図２は、図１に示す電子シンバル１００の内部構成の概略を模式的に示す断面図である。なお、本明細書において参照する図は、本発明の理解を容易にするために一部の構成要素を誇張して表わすなど模式的に表している。このため、各構成要素間の寸法や比率などは異なっていることがある。この電子シンバル１００は、演奏者（図示せず）がスティック（図示せず）を介して叩いた打面の衝撃を検出して電子的な楽音を発生させる電子打楽器である。
【００２４】
（電子シンバル１００の構成）
電子シンバル１００は、シンバルパッド１０１を備えている。シンバルパッド１０１は、演奏者による叩く操作によって振動する部品であり、上方に向かって凸状に湾曲するとともに平面視で円形の板状体で構成されている。このシンバルパッド１０１は、主として、ベース体１０２、パッド１０３および叩打センサ１０４をそれぞれ備えている。
【００２５】
ベース体１０２は、シンバルパッド１０１を形作る芯材となる部品であり、樹脂材を上方に向かって凸状に湾曲するとともに平面視で円環状の板状体に形成して構成されている。この場合、ベース体１０２は、中央部に取付孔１０２ａが形成されるとともに、この取付孔１０２ａの周囲に取付部１０２ｂが形成されている。取付孔１０２ａは、後述するスタンド１１０の貫通部１１１および押圧具１１５ａ，１１５ｂがそれぞれ貫通した状態で配置される部分であり、ベース体１０２の中央部を厚さ方向に貫通する貫通孔によって構成されている。この場合、取付孔１０２ａは、押圧具１１５ａ，１１５ｂよりも大きな内径に形成されている。
【００２６】
取付部１０２ｂは、後述するパッド取付具１０５が取り付けられる部分であり、ベース体１０２の裏面における前記取付孔１０２ａの周囲に平面状に形成されている。この取付部１０２ｂは、押圧具１１５ａ，１１５ｂが取り付けられる部分の厚さが押圧具１１５ａ，１１５ｂが取り付けられる部分よりも外側部分の厚さよりも厚い厚さに形成されている。
【００２７】
パッド１０３は、演奏者がスティックなどを用いて叩く打面を構成する部分であり、ゴム材または発泡樹脂材などからなる弾性体をベース体１０２の上面および外縁部をそれぞれ覆う円環状に形成して構成されている。なお、シンバルパッド１０１は、本実施形態においては、ベース体１０２およびパッド１０３の２種の材料で構成されているが、１種の材料、例えば、樹脂材料のみまたは樹脂材料を含む繊維強化プラスチックのみで構成することもできる。
【００２８】
叩打センサ１０４は、演奏者の叩打によるシンバルパッド１０１の振動を検出する検出器であり、ベース体１０２の振動に応じた電気信号からなる叩打検出信号を外部に設けられる図示しない音源に出力する。本実施形態においては、叩打センサ１０４は、圧電セラミックスの両面にそれぞれ電極を配置するとともに、これらの電極の一方に金属板を配置したピエゾ素子によって構成されている。
【００２９】
この叩打センサ１０４は、図３に示すように、シンバルパッド１０１の裏面を構成するベース体１０２の裏面側の内周部側に周方向に沿って均等な間隔で４つ設けられている。この場合、各叩打センサ１０４は、板状の弾性体を介して図示しない両面テープまたは接着剤などによってそれぞれベース体１０２の裏面に固着されている。
【００３０】
そして、これら４つの叩打センサ１０４は、図示しない配線を介して各叩打検出信号の総和信号を出力するためのフォーン端子（図示せず）に接続されている。ここで、フォーン端子は、４つの叩打検出信号の総和信号を音源など外部機器に出力するための部品であり、シンバルパッド１０１の裏面に取り付けられている。また、音源は、電子シンバル１００とは別体で設けられるマイクロコンピュータによって構成されており、フォーン端子から出力される４つの叩打検出信号の総和信号に基づいて楽音信号を出力する電子回路である。なお、図３は、シンバルパッド１０１、叩打センサ１０４およびパッド取付具のみ示している。
【００３１】
パッド取付具１０５は、シンバルパッド１０１をスタンド１１０に回転摺動可能かつ着脱自在な状態で取り付けるための部品であり、ゴム材または発泡樹脂材などからなる弾性体を平面視で円環状に形成して構成されている。より具体的には、パッド取付具１０５は、図４に示すように、主として、保持部１０６とシンバル連結部１０７とで構成されている。このパッド取付具１０５は、コンプレッション成形、トランスファー成形、インジェクション成形または押出し成形などを用いて成形することができる。
【００３２】
保持部１０６は、押圧具１１５ａ，１１５ｂによって押圧されることで押圧方向に直交する方向、すなわち、径方向に弾性変形する部分であり、平面視で円環状に形成されている。この場合、保持部１０６は、周方向に沿って円筒状に形成されており、内部が中空に形成されている。この保持部１０６は、外径が取付孔１０２ａよりも小径に形成されるとともに、内径がスタンド１１０における貫通部１１１よりも大径に形成されている。
【００３３】
シンバル連結部１０７は、保持部１０６をシンバルパッド１０１の裏面側における取付孔１０２ａの開口部に配置するための部分であり、保持部１０６の外周部からフランジ状に張り出す平面視で円環平板状に形成されている。このシンバル連結部１０７は、シンバルパッド１０１の裏面における取付部１０２ｂに図示しないネジまたは接着剤などによって取り付けられて固定されている。これにより、パッド取付具１０５は、保持部１０６におけるシンバル連結部１０７よりも図示上側の部分が取付孔１０２ａ内に配置されるとともに、シンバル連結部１０７よりも図示下側の部分が取付孔１０２ａの直下に配置された状態でシンバルパッド１０１に固定的に取り付けられる。この場合、パッド取付具１０５は、取付孔１０２ａに対して保持部１０６が同心の位置に取り付けられる。
【００３４】
スタンド１１０は、シンバルパッド１０１を演奏者が希望する高さ位置で支持するための部品であり、床面に対して垂直方向に延びる金属製の棒状体で構成されている。このスタンド１１０は、図示上側の上端部に貫通部１１１が形成されているとともに、図示下側の下端部は図示しない三脚で構成されている。
【００３５】
貫通部１１１は、シンバルパッド１０１の取付孔１０２ａおよびパッド取付具１０５の保持部１０６の各内側をそれぞれ貫通してパッド取付具１０５を介してシンバルパッド１０１を支持する部分である。この貫通部１１１には、その外周部の上部に雄ネジが形成されており、この雄ネジに締付ナット１１４がネジ嵌合している。
【００３６】
支持スリーブ１１２は、パッド取付具１０５および押圧具１１５ａ，１１５ｂがそれぞれ貫通部１１１に直接接触することを防止するための部品であり、樹脂材を円筒状に形成して構成されている。支持スリーブ１１２の外周部は、パッド取付具１０５の保持部１０６が嵌合する大きさ（例えば、保持部１０６の内径と同一または同内径よりも若干大きな外径）以下の外径に形成されている。本実施形態においては、支持スリーブ１１２の外径は、保持部１０６の内径よりも小径に形成されている。
【００３７】
また、支持スリーブ１１２の外周部における両端部のうちの一方（図示下方）の端部は、径方向外側にフランジ状に張り出した状態で受けフランジ部１１３が形成されており、この受けフランジ部１１３によって押圧具１１５ａを図示下方から支持するように形成されている。一方、支持スリーブ１１２の内周部には、貫通部１１１に対して摺動可能な状態で嵌合するように形成されている。
【００３８】
そして、支持スリーブ１１２は、パッド取付具１０５の保持部１０６が嵌合する部分が保持部１０６の弾性変形による圧迫によって径方向内側に弾性変形するように構成されている。締付ナット１１４は、貫通部１１１に形成された雄ネジにネジ嵌合する部品であり、金属製の筒体の内周面に雌ネジが形成されて構成されている。
【００３９】
押圧具１１５ａ，１１５ｂは、パッド取付具１０５における保持部１０６を図示上下方向の両側から挟んで押し潰して径方向に伸長させるための部品であり、フェルト材をそれぞれ円筒状に成形して構成されている。この場合、押圧具１１５ａ，１１５ｂは、内径が支持スリーブ１１２の外径と略同一の大きさに形成されて支持スリーブ１１２の外周面に摺動自在に嵌合するとともに、外径が取付孔１０２ａよりも小径で支持スリーブ１１２の受けフランジ部１１３の外径と同じ大きさに形成されている。
【００４０】
（電子シンバル１００の作動）
次に、このように構成した電子シンバル１００の作動について説明する。まず、演奏者は、電子シンバル１００をスタンド１１０に組み付ける。具体的には、演奏者は、シンバルパッド１０１、スタンド１１０、支持スリーブ１１２、締付ナット１１４および押圧具１１５ａ，１１５ｂをそれぞれ用意する。この場合、シンバルパッド１０１は、ベース体１０２に対してパッド１０３、叩打センサ１０４およびパッド取付具１０５がそれぞれ取り付けられており、シンバルパッド１０１を一体的に構成している。
【００４１】
次に、演奏者は、図５に示すように、スタンド１１０を起立させた後、貫通部１１１に支持スリーブ１１２を嵌合させて取り付ける。次いで、演奏者は、支持スリーブ１１２の貫通部１１１に取り付けた支持スリーブ１１２における円筒部の外周部上に押圧具１１５ａを嵌めた後、この押圧具１１５ａ上にシンバルパッド１０１の取付孔１０２ａを嵌めて、さらに、その上に押圧具１１５ｂを嵌める。つまり、演奏者は、シンバルパッド１０１を支持スリーブ１１２上においてパッド取付具１０５の保持部１０６を２つの押圧具１１５ａ，１１５ｂで挟んだ状態で配置する。
【００４２】
そして、演奏者は、図２に示すように、締付ナット１１４を貫通部１１１にネジ嵌合させて締め付ける。これにより、パッド取付具１０５は、保持部１０６が２つの押圧具１１５ａ，１１５ｂによって貫通部１１１の軸線方向上で挟まれて押圧されるため、保持部１０６の内周部が貫通部１１１側に張り出して支持スリーブ１１２を周方向に沿って圧迫して支持スリーブ１１２の内周面を貫通部１１１側に弾性変形させる。
【００４３】
この場合、演奏者は、締付ナット１１４の締付具合によって支持スリーブ１１２が貫通部１１１を圧迫する力を調節することができる。すなわち、演奏者は、シンバルパッド１０１がスタンド１１０に対して回転摺動する摺動抵抗を締付ナット１１４の締付具合によって規定することができる。この結果、シンバルパッド１０１は、スタンド１１０に可動的に取り付けられる。この後、演奏者は、電子シンバル１００を図示しない前記音源に電気的に接続して演奏可能な状態とするが、この作業は本発明に直接関わらないため、その説明は省略する。
【００４４】
次に、演奏者は、電子シンバル１００を演奏する。具体的には、演奏者は、スティックを用いてシンバルパッド１０１の上面を叩く。この場合、シンバルパッド１０１は、スタンド１１０に対してパッド取付具１０５を介して回転摺動可能な状態で取り付けられているため、スタンド１１０に対して周方向に回転変位することができる（図１における破線矢印参照）。この場合、シンバルパッド１０１は、前記シンバルパッドの組付け工程で規定した摺動抵抗を介して回転摺動する。これにより、シンバルパッド１０１は、叩打による過度な回転変位が防止される。
【００４５】
また、シンバルパッド１０１に設けられた４つ叩打センサ１０４は、パッド１０３上の叩打位置に応じた叩打強度の叩打検出信号を音源にそれぞれ出力する。この場合、叩打センサ１０４は、シンバルパッド１０１とスタンド１１０との間で剛体同士の接触による無用な振動または衝撃が生じることが防止されるため、演奏者のスティック操作によるシンバルパッド１０１の振動を精度良く検出して音源に出力することができる。また、演奏時において、演奏者は、必要に応じて締付ナット１１４の締付力を調整することによりシンバルパッド１０１のスタンド１１０への取り付け強度を適宜調整することができる。
【００４６】
次に、演奏者は、電子シンバル１００の演奏を終える場合には、前記音源に対する電気的な接続を外した後、締付ナット１１４を弛めて貫通部１１１から取り外す。これにより、シンバルパッド１０１は、パッド取付具１０５の保持部１０６の押圧状態が解消されるため、保持部１０６は自身の弾性力によって元の円環状に復帰して貫通部１１１の圧迫状態を解消する。したがって、演奏者は、支持スリーブ１１２上から押圧具１１５ｂ、シンバルパッド１０１および押圧具１１５ａをそれぞれ取り外すとともに、スタンド１１０の貫通部１１１から支持スリーブ１１２を取り外すことができる。
【００４７】
上記作動説明からも理解できるように、上記第１実施形態によれば、電子シンバル１００は、シンバルパッド１０１にシンバル連結部１０７を介して連結されるパッド取付具１０５が環状に形成されてスタンド１１０を貫通させるとともにスタンド１１０の軸線方向からの押圧によって内周部分が弾性的に収縮変形する保持部１０６を備えているため、この保持部１０６をスタンド１１０の軸線方向に押圧することで弾性変形させた保持部１０６によってシンバルパッド１０１をスタンド１１０に対して回転可能な状態で取り付けることができる。これにより、本発明に係る電子シンバル１００においては、演奏者が演奏時においてシンバルパッド１０１の叩打によってシンバルパッド１０１を回転させることができるため、アコースティックシンバルの演奏感を得ることができる。また、本発明に係る電子シンバル１００においては、保持部１０６を弾性変形させる押圧力を調整することで支持スリーブ１１２がスタンド１１０を圧迫する力を加減できるため、シンバルパッド１０１の回転のし易さを調整することができる。
【００４８】
（第２実施形態）
次に、本発明に係る電子シンバルの第２実施形態について図６〜図８を用いて説明する。この第２実施形態の説明においては、主として、上記第１実施形態と異なる部分について説明し、共通する部分については適宜省略する。この第２実施形態に係る電子シンバル２００は、上記第１実施形態に係る電子シンバル１００に対してパッド取付具２０１の形状が異なる点において相違している。
【００４９】
具体的には、パッド取付具２０１は、図７に示すように、上記パッド取付具１０５と同様に、ゴム材または発泡樹脂材などからなる弾性体を平面視で円環状に形成して構成されており、主として、保持部２０２およびシンバル連結部２０３をそれぞれ備えている。
【００５０】
保持部２０２は、上記保持部１０６と同様に、押圧具１１５ａ，１１５ｂによって押圧されることで押圧方向に直交する方向、すなわち、径方向に弾性変形する部分であり、平面視で円環状に形成されている。この場合、保持部２０２は、シンバル連結部２０３に隣接する部分がパッド取付具２０１の軸線方向における一方側にＵ字状に屈曲して環状に隆起した第１凸部２０２ａと、この第１凸部２０２ａから前記軸線方向における他方側にＵ字状に屈曲して環状に隆起する第２凸部２０２ｂとで構成されている。すなわち、保持部２０２は、径方向に沿って図示上下方向に屈曲する波型形状に形成されている。この場合、保持部２０２は、外径が取付孔１０２ａよりも小径に形成されるとともに、内径がスタンド１１０における貫通部１１１よりも大径に形成されている。
【００５１】
また、シンバル連結部２０３は、上記シンバル連結部１０７と同様に、保持部２０２をシンバルパッド１０１の裏面側における取付孔１０２ａの開口部に配置するための部分であり、保持部２０２の外周部からフランジ状に張り出す平面視で円環平板状に形成されている。このシンバル連結部２０３は、シンバルパッド１０１の裏面における取付部１０２ｂに図示しないネジまたは接着剤などによって取り付けられて固定されている。
【００５２】
これにより、パッド取付具２０１は、保持部２０２におけるシンバル連結部２０３よりも図示上側の部分が取付孔１０２ａ内に配置されるとともに、シンバル連結部２０３よりも図示下側の部分が取付孔１０２ａの直下に配置された状態でシンバルパッド１０１に固定的に取り付けられる。この場合、パッド取付具２０１は、取付孔１０２ａに対して保持部２０２が同心の位置に取り付けられる。
【００５３】
このように構成された電子シンバル２００をスタンド１１０に組み付ける場合には、演奏者は、図８に示すように、上記第１実施形態と同様に、スタンド１１０の貫通部１１１に支持スリーブ１１２を嵌合させた後、押圧具１１５ａ、シンバルパッド１０１および押圧具１１５ｂの順に支持スリーブ１１２上に配置する。そして、演奏者は、締付ナット１１４を貫通部１１１にネジ嵌合させて締め付ける。
【００５４】
これにより、パッド取付具２０１は、図６に示すように、保持部２０２が２つの押圧具１１５ａ，１１５ｂによって貫通部１１１の軸線方向上で挟まれて押圧されるため、保持部２０２の内周部が貫通部１１１側に張り出して支持スリーブ１１２を周方向に沿って圧迫して弾性変形させる。この結果、シンバルパッド１０１は、スタンド１１０に摺動可能な状態で取り付けられる。
【００５５】
上記作動説明からも理解できるように、上記第２実施形態によれば、電子シンバル１００は、パッド取付具２０１における保持部２０２が波型状に屈曲して構成されて表面全体が外部に露出しているため、弾性変形する保持部２０２の劣化および損傷を容易に確認することができる。
【００５６】
（第３実施形態）
次に、本発明に係る電子シンバルの第３実施形態について図９〜図１１を用いて説明する。この第３実施形態の説明においても、主として、上記第１実施形態および第２実施形態と異なる部分について説明し、共通する部分については適宜省略する。この第３実施形態に係る電子シンバル３００は、上記各実施形態に係る電子シンバル１００，２００に対してパッド取付具３０１の形状が異なる点において相違している。
【００５７】
具体的には、パッド取付具３０１は、図１０に示すように、上記パッド取付具１０５，２０１と同様に、ゴム材または発泡樹脂材などからなる弾性体を平面視で円環状形成されている。より具体的には、パッド取付具３０１は、上記シンバル連結部１０７，２０３と同様の平板円環状のシンバル連結部３０２の最内縁部側に保持部３０３が形成されて構成されている。
【００５８】
保持部３０３は、シンバル連結部３０２の内縁部に周方向に沿って複数（本実施形態においては８つ）の基台３０３ａが均等配置されるとともに、これらの各基台３０３ａ上にそれぞれ弾性部３０３ｂを介して変位部３０３ｃを有して構成されている。基台３０３ａは、変位部３０３ｃを径方向に沿う往復変位を案内する部分であり、シンバル連結部３０２の内縁部から径方向外側に向かって上り傾斜となる斜面を有して構成されている。
【００５９】
弾性部３０３ｂは、変位部３０３ｃを径方向に沿って往復変位可能な状態で弾性的に支持する部分であり、基台３０２ａと変位部３０３ｃとの間でＵ字状に曲がる板状体で構成されている。変位部３０３ｃは、スタンド１１０における貫通部１１１を支持スリーブ１１２を介して保持する部分であり、基台３０３ａ上に浮いた状態で弾性部３０３ｂによって弾性的に支持されている。
【００６０】
この場合、変位部３０３ｃは、外周部が弾性部３０３ｂに連結されているとともに、内周部が平面視で円弧状に形成されている。この保持部３０３は、複数の変位部３０３ｃによって形成される断続的な円の外径が取付孔１０２ａよりも小径に形成されるとともに、内径がスタンド１１０における貫通部１１１よりも大径に形成されている。
【００６１】
このように構成された電子シンバル３００をスタンド１１０に組み付ける場合には、演奏者は、図１１に示すように、上記各実施形態と同様に、スタンド１１０の貫通部１１１に支持スリーブ１１２を嵌合させた後、押圧具１１５ａ、シンバルパッド１０１および押圧具１１５ｂの順に支持スリーブ１１２上に配置する。そして、演奏者は、締付ナット１１４を貫通部１１１にネジ嵌合させて締め付ける。
【００６２】
これにより、パッド取付具３０１は、図９に示すように、保持部３０３が２つの押圧具１１５ａ，１１５ｂによって貫通部１１１の軸線方向上で挟まれて押圧されるため、各変位部３０３ｃが基台３０３ａ上にそれぞれ押圧されて各基台３０３ａの傾斜面に沿って貫通部１１１側に摺動して支持スリーブ１１２を周方向に沿って圧迫して弾性変形させる。この結果、シンバルパッド１０１は、図１０に示すように、スタンド１１０に固定的に取り付けられる。
【００６３】
上記作動説明からも理解できるように、上記第３実施形態によれば、複数の変位部３０３ｃが支持スリーブ１１２の外周面をそれぞれ独立して押圧するため、支持スリーブ１１２の形状が周方向に凹凸があった場合であっても確実かつ安定的に保持することができる。
【００６４】
（第４実施形態）
次に、本発明に係る電子シンバルの第４実施形態について図１２〜図１４を用いて説明する。この第４実施形態の説明においては、主として、上記第１実施形態と異なる部分について説明し、共通する部分については適宜省略する。この第４実施形態に係る電子シンバル４００は、上記第１実施形態に係る電子シンバル１００に対して取付孔４０１の形状およびパッド取付具４０２の構成がそれぞれ異なる点において相違している。
【００６５】
具体的には、シンバルパッド１０１における取付孔４０１は、スタンド１１０の軸線方向における一方（図示下側）の端部側から他方（図示上側）の端部側に向かって内径が大きくなる凹状の円錐面からなる受け面４０１ａを有した貫通孔によって構成されている。
【００６６】
一方、パッド取付具４０２は、上記パッド取付具１０５と同様に、ゴム材または発泡樹脂材などからなる弾性体で構成されているが、上記パッド取付具１０５とは異なりシンバルパッド１０１とは別体で分離して構成されている。より具体的には、パッド取付具４０２は、図１３に示すように、主として、保持部４０３とシンバル連結部４０４とによって平面視で略Ｃ字状に形成されている。
【００６７】
ここで、保持部４０３は、取付孔４０１内に嵌り込んで同取付孔４０１内にて弾性変形する部分であり、筒状の円錐体状に形成されている。また、保持部４０３には、周方向の一部に内周部と外周部との間にスタンド１１０の軸線方向に貫通した扇状の切欠き部４０３ａが形成されている。この場合、切欠き部４０３ａの幅は、保持部４０３の内周部が収縮して貫通部１１１を掴んだ場合であっても隙間を確保する幅に形成されるとよい。これにより、保持部４０３は、切欠き部４０３ａの幅が狭まる方向に変形することで内径および外径がそれぞれ収縮する。一方、シンバル連結部４０４は、前記取付孔４０１に形成された凹状の円錐面からなる受け面４０１ａに密着する部分であり、保持部４０３の一部を構成する凸状の円錐面で構成されている。
【００６８】
なお、シンバルパッド１０１は、ベース体１０２の裏面における取付孔４０１の周囲が上記各実施形態における取付部１０２ｂと同様に平面状に形成されているが、パッド取付具４０２は、前記したように、シンバルパッド１０１とは別体で構成されているため、前記平面状の部分にパッド取付具４０２が取り付けられることはない。
【００６９】
このように構成された電子シンバル４００をスタンド１１０に組み付ける場合には、演奏者は、図１４に示すように、スタンド１１０の貫通部１１１に支持スリーブ１１２を嵌合させた後、この支持スリーブ１１２上に押圧具１１５ａおよびシンバルパッド１０１をそれぞれ配置する。この場合、シンバルパッド１０１は、取付孔４０１が上方に向かって拡径する向きで支持スリーブ１１２上に配置される。
【００７０】
次いで、演奏者は、支持スリーブ１１２が貫通したシンバルパッド１０１の取付孔４０１内にパッド取付具４０２を配置した後、このパッド取付具４０２上に押圧具１１５ｂを配置する。この場合、パッド取付具４０２は、シンバル連結部４０４がシンバルパッド１０１の取付孔４０１内の受け面４０１ａに面する向きで配置される。そして、演奏者は、締付ナット１１４を貫通部１１１にネジ嵌合させて締め付ける。
【００７１】
これにより、パッド取付具４０２は、図１２に示すように、押圧具１１５ｂによって取付孔４０１の受け面４０１ａにシンバル連結部４０４が押し付けられることで保持部４０３の内径および外径が収縮する方に弾性変形する。すなわち、パッド取付具４０２は、保持部４０３が２つの押圧具１１５ａ，１１５ｂによって取付孔４０１を介して貫通部１１１の軸線方向上で挟まれて押圧されるため、保持部４０３の内周部が貫通部１１１側に張り出して支持スリーブ１１２を周方向に沿って圧迫して弾性変形させるとともにシンバル連結部４０４が取付孔４０１の受け面４０１ａに強く押し付けられる。この結果、シンバルパッド１０１は、スタンド１１０に摺動可能な状態で取り付けられる。
【００７２】
一方、演奏者は、演奏を終えた場合には、締付ナット１１４を弛めて貫通部１１１から取り外すことでパッド取付具４０２が取付孔４０１の受け面４０１ａに強く押し付けられた状態および保持部４０３が弾性変形した状態をそれぞれ解消することができる。これにより、演奏者は、支持スリーブ１１２から押圧具１１５ｂ、パッド取付具４０２、シンバルパッド１０１および押圧具１１５ａをそれぞれ取り外すことができるとともに、支持スリーブ１１２を貫通部１１１から取り外すことができる。
【００７３】
上記作動説明からも理解できるように、上記第４実施形態によれば、電子シンバル４００は、パッド取付具４０２がシンバルパッド１０１に対して別体で構成されているため、弾性変形を繰り返すパッド取付具４０２が損傷または劣化した場合にはシンバルパッド１０１を交換することなく新品に取り換えることができる。また、電子シンバル４００は、複数種類の内径のパッド取付具４０２を予め用意しておくことで、１つのシンバルパッド１０１を複数種類のスタンド１１０の貫通部１１１または支持スリーブ１１２間で共通して使用することができる。
【００７４】
（第５実施形態）
次に、本発明に係る電子シンバルの第５実施形態について図１５〜図１７を用いて説明する。この第５実施形態の説明においては、主として、上記第４実施形態と異なる部分について説明し、共通する部分については適宜省略する。この第５実施形態に係る電子シンバル５００は、上記第４実施形態に係る電子シンバル４００に対して取付孔５０１およびパッド取付具５０２の各形状が異なる点において相違している。
【００７５】
具体的には、シンバルパッド１０１における取付孔５０１は、スタンド１１０の軸線方向にストレートに延びて貫通する貫通孔で構成されている。この場合、取付孔５０１は、支持スリーブ１１２上に配置されるパッド取付具５０２の外周部に対向する長さで形成されている。
【００７６】
一方、パッド取付具５０２は、図１６に示すように、上記パッド取付具４０２と同様に、ゴム材または発泡樹脂材などからなる弾性体を平面視で円環状形成されてシンバルパッド１０１とは別体で構成されている。より具体的には、パッド取付具５０２は、周方向に沿って円筒状に形成されて内部が中空に形成された保持部５０３と、この保持部５０３の外周部からなるシンバル連結部５０４とで構成されている。この保持部５０３は、外径（すなわち、シンバル連結部５０４の外径）が取付孔５０１よりも小径に形成されるとともに、内径がスタンド１１０における貫通部１１１よりも大径に形成されている。
【００７７】
このように構成された電子シンバル５００をスタンド１１０に組み付ける場合には、図１７に示すように、演奏者は、上記第４実施形態と同様に、スタンド１１０の貫通部１１１に支持スリーブ１１２を嵌合させた後、この支持スリーブ１１２上に押圧具１１５ａおよびシンバルパッド１０１をそれぞれ配置する。次いで、演奏者は、支持スリーブ１１２が貫通した押圧具１１５ａ上でかつシンバルパッド１０１の取付孔５０１の内側にパッド取付具５０２を配置した後、このパッド取付具５０２上に押圧具１１５ｂを配置する。そして、演奏者は、締付ナット１１４を貫通部１１１にネジ嵌合させて締め付ける。
【００７８】
これにより、パッド取付具５０２は、図１５に示すように、保持部５０３が押圧具１１５ｂによって押圧具１１５ａに押し付けられることで保持部５０３の内周部が貫通部１１１側に張り出して支持スリーブ１１２を周方向に沿って圧迫して弾性変形させるとともに保持部５０３の外周部であるシンバル連結部５０４が取付孔５０１側に張り出して取付孔５０１の内周面に強く押し付けられる。この結果、シンバルパッド１０１は、スタンド１１０に摺動可能な状態で取り付けられる。
【００７９】
一方、演奏者は、演奏を終えた場合には、締付ナット１１４を弛めて貫通部１１１から取り外すことでパッド取付具５０２が押圧具１１５ａに強く押し付けられる状態および保持部５０３が弾性変形した状態をそれぞれ解消することができる。これにより、演奏者は、支持スリーブ１１２から押圧具１１５ｂ、パッド取付具５０２、シンバルパッド１０１および押圧具１１５ａをそれぞれ取り外すことができるとともに、支持スリーブ１１２を貫通部１１１から取り外すことができる。
【００８０】
上記作動説明からも理解できるように、上記第５実施形態によれば、電子シンバル５００は、パッド取付具５０２がシンバルパッド１０１に対して別体で構成されているため、上記第４実施形態における電子シンバル４００と同様の作用効果を得ることができる。また、電子シンバル５００は、パッド取付具５０２が平面視で単に円環状に形成されているため、簡単な構成でシンバルパッド１０１がスタンド１１０に取り付けることができる。
【００８１】
さらに、本発明の実施にあたっては、上記各実施形態に限定されるものではなく、本発明の目的を逸脱しない限りにおいて種々の変更が可能である。
【００８２】
例えば、上記第１実施形態および第５実施形態においては、パッド取付具１０５，５０２は、中空状に形成した。しかし、パッド取付具１０５，５０２は、中実状に形成することもできる。
【００８３】
また、上記第１実施形態、第２実施形態および第３実施形態においては、パッド取付具１０５，２０１，３０１は、シンバルパッド１０１に固着して設けた。しかし、パッド取付具は、上記第４実施形態および第５実施形態のように、シンバルパッド１０１に対して別個独立して設けることもできる。
【００８４】
また、上記各実施形態においては、押圧具１１５ａ，１１５ｂをそれぞれフェルト材で構成した。しかし、押圧具１１５ａ，１１５ｂは、パッド取付具１０５，２０１，３０１，４０２，５０２をそれぞれ押圧することができるように構成されていればよい。したがって、押圧具１１５ａ，１１５ｂは、ゴム材、シリコーン材または軟質樹脂材などの弾性体で構成してもよいし、金属材または硬質樹脂材などの剛体で構成することもできる。
【００８５】
また、上記各実施形態においては、電子シンバル１００〜５００は、１つのシンバルパッド１０１がスタンド１１０に取り付けられて構成されている。しかし、本発明に係る電子シンバルは、２つのシンバルパッドを上下方向に互いに対向配置してこれらの両者をペダル操作によって接触または離隔させる所謂ハイハットで構成することもできる。
【００８６】
また、上記各実施形態においては、電子シンバル１００〜５００は、支持スリーブ１１２を介してパッド取付具１０５，２０１，３０１，４０２，５０２を貫通部１１１に間接的に押し付けた。しかし、電子シンバル１００〜５００は、支持スリーブ１１２を省略してパッド取付具１０５，２０１，３０１，４０２，５０２を直接貫通部１１１に押し付けるようにしてもよい。
【００８７】
また、上記各実施形態においては、支持スリーブ１１２は、保持部１０６の圧迫によって弾性的に収縮変形するように構成した。しかし、支持スリーブ１１２は、保持部１０６の圧迫によって弾性変形しない剛性を有して形成されていてもよい。この場合、シンバルパッド１０１は、保持部１０６が支持スリーブ１１２に対して回転摺動することで回転変位するようにしてもよい。この場合、支持スリーブ１１２は、貫通部１１１に対して圧入またはネジ嵌合などによって固定的に取り付けられる。
【００８８】
また、シンバルパッド１０１は、支持スリーブ１１２が貫通部１１１に嵌合する摺動抵抗よりも強い摺動抵抗によって保持部１０６が支持スリーブ１１２を圧迫することによって支持スリーブ１１２が貫通部１１１に対して回転摺動することで回転変位するようにしてもよい。さらに、シンバルパッド１０１は、保持部１０６が支持スリーブ１１２に対して回転摺動とともに支持スリーブ１１２が貫通部１１１に対して回転摺動することで回転変位するようにしてもよい。
【００８９】
また、上記各実施形態においては、パッド取付具１０５の保持部１０６が嵌合する支持スリーブ１１２の外周部の外径を保持部１０６の内径よりも細く形成した。しかし、パッド取付具１０５の保持部１０６が嵌合する支持スリーブ１１２の外周部の外径を保持部１０６の内径と同じまたは同内径よりも太く形成することもできる。この場合、保持部１０６は、支持スリーブ１１２に対して圧入されることになる。これによれば、押圧具１１５ａ，１１５ｂを省略することもできる。
【００９０】
また、上記各実施形態においては、パッド取付具１０５は、保持部１０６を押圧具１１５ａ，１１５ｂで押圧することで変形させてスタンド１１０を保持するように構成した。しかし、電子シンバル１００は、保持部１０６がスタンド１１０における貫通部１１１を摺動可能な状態で把持することで押圧具１１５ａ，１１５ｂを省略することもできる。
【００９１】
具体的には、例えば、保持部１０６，２０２，３０３，４０３，５０３は、貫通部１１１に対して摩擦抵抗を介して摺動自在に嵌合する大きさの内径に形成することができる。この場合、保持部１０６，２０２，３０３，４０３，５０３は、スタンド１１０の径方向に弾性変形する弾性体であってもよいが硬質樹脂材や金属材などの剛体であってもよい。
【００９２】
この場合、演奏者は、パッド取付具１０５，２０１，３０１，４０２，５０２を貫通部１１１に押し込む。そして、この場合、パッド取付具１０５，２０１，３０１のようにシンバル連結部１０７，２０３，３０２がシンバルパッド１０１に取り付けられる構成の場合には、締付ナット１１４を貫通部１１１にネジ嵌合させてもよいが締付ナット１１４を省略することもできる。一方、パッド取付具４０２，５０２のようにシンバル連結部４０４，５０４がシンバルパッド１０１に押し付けられる構成の場合には、締付ナット１１４を貫通部１１１にネジ嵌合させてシンバル連結部４０４，５０４をシンバルパッド１０１に押し付ける。
【００９３】
また、上記各実施形態においては、電子シンバル１００〜５００は、４つの叩打センサ１０４をシンバルパッド１０１の裏面を構成するベース体１０２の裏面側の内周部側に周方向に沿って均等な間隔で４つ設けた。しかし、叩打センサ１０４を設ける数および設ける位置は、必ずしも上記実施形態に限定されるものではない。すなわち、電子シンバル１００〜５００は、少なくとも２つの叩打センサ１０４を備えていればよい。また、複数の叩打センサ１０４は、シンバルパッド１０１の振動を検出できる位置、例えば、シンバルパッド１０１の裏面を構成するベース体１０２の裏面側の内周部側に代えてまたは加えて外周部側に設けることもできる。
【符号の説明】
【００９４】
１００…電子シンバル、１０１…シンバルパッド、１０２…ベース体、１０２ａ…取付孔、１０２ｂ…取付部、１０３…パッド、１０４…叩打センサ、１０５…パッド取付具、１０６…保持部、１０７…シンバル連結部、
１１０…スタンド、１１１…貫通部、１１２…支持スリーブ、１１３…受けフランジ部、１１４…締付ナット、１１５ａ，１１５ｂ…押圧具、
２００…電子シンバル、２０１…パッド取付具、２０２…保持部、２０２ａ…第１凸部、２０２ｂ…第２凸部、２０３…シンバル連結部、
３００…電子シンバル、３０１…パッド取付具、３０２…シンバル連結部、３０３…保持部、３０３ａ…基台、３０３ｂ…弾性部、３０３ｃ…変位部、
４００…電子シンバル、４０１…取付孔、４０２…パッド取付具、４０３…保持部、４０３ａ…切欠き部、４０４…シンバル連結部、
５００…電子シンバル、５０１…取付孔、５０２…パッド取付具、５０３…保持部、５０４…シンバル連結部。
【図１】
2018205684.tif 000003
【図２】
2018205684.tif 000004
【図３】
2018205684.tif 000005
【図４】
2018205684.tif 000006
【図５】
2018205684.tif 000007
【図６】
2018205684.tif 000008
【図７】
2018205684.tif 000009
【図８】
2018205684.tif 000010
【図９】
2018205684.tif 000011
【図１０】
2018205684.tif 000012
【図１１】
2018205684.tif 000013
【図１２】
2018205684.tif 000014
【図１３】
2018205684.tif 000015
【図１４】
2018205684.tif 000016
【図１５】
2018205684.tif 000017
【図１６】
2018205684.tif 000018
【図１７】
2018205684.tif 000019